(57)【要約】      （修正有）【課題】複数のダボ孔とネジ孔を有する長尺薄板状の金属性の棚受支柱において、固着に際し別部材を使用せず皿ネジで螺着できるようにするとともにダボピンがダボ孔の下端部まで完全に挿嵌されガタツキのない安定した構成とし、さらにダボ孔のピッチを従来広く使われている棚受支柱のダボ孔のピッチと同一とすること。【解決手段】棚受支柱１のネジ孔３の表面周囲に皿ネジＮの頭部が完全に格納できる擂鉢状の凹部３１を設け、且つネジ孔２の裏面に打出し突出される円錐台形状の突出部の辺縁部の上部がダボピンＤＰの頭部ＤＰａに衝突しないように突出部上部に空隙形成用段部３４を設けて棚受支柱１を構成する。【選択図】図１
0003154344.tif 000002
【実用新案登録請求の範囲】
【請求項１】
ダボピンが挿入固定される等間隔に穿設された複数のダボ孔と、棚受支柱自体を本棚、食器棚、クローゼット等の内壁あるいは壁面等の被着体に固着させるための複数のネジ孔を有する長尺薄板状の金属性の棚受支柱において、棚受支柱の表面のネジ孔の周囲に皿ネジの頭部が棚受支柱の表面から突出しないように皿ネジの頭部を完全に格納できる擂鉢状の凹部が設けられており、且つネジ孔の裏面に打出し突出される円錐台形状の突出部の辺縁部の上部が直上のダボ孔にダボピンを挿入固定した際に棚受支柱の裏面に突出するダボピンの頭部に衝突しないように、上記ネジ孔の裏面に突出される円錐台形状の突出部の辺縁部の上部に空隙形成用段部を設けたことを特徴とする棚受支柱。
【考案の詳細な説明】
【技術分野】
【０００１】
本考案は、ダボピンが挿入固定される等間隔に穿設された複数のダボ孔と、棚受支柱自体を本棚、食器棚、クローゼット等の内壁あるいは壁面等の被着体に固着させるための複数のネジ孔を有する長尺薄板状の金属性の棚受支柱に関するものであり、さらに詳しくは、棚受支柱の表面のネジ孔の周囲に皿ネジの頭部が棚受支柱の表面から突出しないように皿ネジの頭部を完全に格納できる擂鉢状の凹部が設けられており、且つネジ孔の裏面に打出し突出される円錐台形状の突出部の辺縁部の上部が直上のダボ孔にダボピンを挿入固定した際に棚受支柱の裏面に突出するダボピンの頭部に衝突しないように、上記ネジ孔の裏面に突出される円錐台形状の突出部の辺縁部の上部に空隙形成用段部を設けたことを特徴とする棚受支柱に関するものである。
【背景技術】
【０００２】
従来から、ダボピンが挿入固定される等間隔に穿設された複数のダボ孔と、棚受支柱自体を本棚、食器棚、クローゼット等の内壁あるいは壁面等の被着体に固着させるための複数のネジ孔を有する長尺薄板状の金属性の棚受支柱は存在した。その構成の一例を図５に掲げる。図５の棚受支柱Ｓ１は、長尺薄板状の金属性の本体Ｓ１ａにダボピン（図示せず）が挿入固定される複数のダボ孔Ｄｈ、Ｄｈ、……がピッチｐ１で等間隔に穿設され、要所要所に棚受支柱Ｓ１自体を本棚、食器棚、クローゼット等の内壁あるいは壁面等の被着体に固着させるためのネジ孔ｎ１、ｎ１、……が穿設されており、背面には、図示しないダボピンの頭部を格納する空間を設けるための脚部Ｓ１ｂ，Ｓ１ｃが本体Ｓ１ａと一体に、背面方向に突出されている。下記特許文献１の図２に見る「棚受け用支柱」（下記特許文献１の符号１０）も略同様の構成のものである。
【０００３】
このような構成の棚受支柱Ｓ１は、ネジ孔ｎ１、ｎ１、…にネジ（図示せず）を螺入して本棚、食器棚、クローゼット等の内壁あるいは壁面等の被着体に固着させるが、その際に用いられるネジは、下記特許文献１の図２に見られるような頭部が丸く突出された所謂「鍋ネジ」であった。しかし、「鍋ネジ」を用いた場合、どうしてもネジの頭部の半球状の突出部分が棚受支柱Ｓ１の表面に露出突出されることとなる。
【０００４】
ダボピンに載置される棚板（図示せず）は、その側面を棚受支柱Ｓ１の表面に隙間なく当接されて設置される。しかるに、棚板の側面が偶々この鍋ネジの頭部の半球状の突出部分に当接させられるような配置となった場合、鍋ネジの頭部の半球状の突出部分が邪魔になって、棚板の側面を棚受支柱Ｓ１の表面に隙間なく当接させることができなくなってしまうので、鍋ネジが当たる部分の棚板を切り欠くか、棚板の長さを鍋ネジが当接しない長さに短縮するという変更を余儀なくされるが、これらの方法は、いずれも棚板の耐荷重の減少につながる。そこで、このような不都合を回避するために、鍋ネジに代えて、ネジの頭部が平坦な所謂「皿ネジ」を用いることが考えられた。
【０００５】
ところが、皿ネジを用いる場合、ネジの頭部の円錐台形状の部分を棚受支柱の表面内部に埋設できるような構成にしておかないと、結局鍋ネジを用いた場合と同様の不都合が生じる。そこで、図６〜図８に示すような構成の棚受支柱Ｓ２が開発されることとなった。なお、下記特許文献１にては、皿ネジをダボ孔を用いて螺入できる構成を考えているが、この場合、別部品が必要となり、螺入作業も複雑なものとなるので、この方法は余り普及を見ていないと考えられる。
【０００６】
棚受支柱Ｓ２は、図６〜図８に見るように、長尺薄板状の金属性の本体Ｓ２ａにダボピンＤＰが挿入固定される複数のダボ孔Ｄｈ、Ｄｈ、……がピッチｐ２で等間隔に穿設され、要所要所に棚受支柱Ｓ２自体を本棚、食器棚、クローゼット等の内壁あるいは壁面等の被着体Ｗに固着させるためのネジ孔ｎ２、ｎ２、……が穿設されており、背面には、図示しないダボピンの頭部を格納する空間を設けるための脚部Ｓ２ｂ，Ｓ２ｃが本体Ｓ２ａと一体に、背面方向に突出されている。
【０００７】
棚受支柱Ｓ２は、棚受支柱Ｓ１と略同一の構成であり、ダボ孔Ｄｈ、Ｄｈ、……のピッチｐ２も、棚受支柱Ｓ１のダボ孔Ｄｈ、Ｄｈ、……のピッチｐ１と同一である。ただ一箇所棚受支柱Ｓ１と異なる点は、ネジ孔ｎ２、ｎ２、……の構成である。
【０００８】
ネジ孔ｎ２は、図７ａ、図７ｂ、図８に見るように棚受支柱Ｓ２の表面（正面）Ｓ２ｄ側に擂鉢状の凹部ｎ２ａが形成され、この凹部ｎ２ａに皿ネジＮの頭部Ｎａが格納され、皿ネジＮが被着体Ｗに完全に螺着固定された状態にて、頭部Ｎａが棚受支柱Ｓ２の表面Ｓ２ｄから突出しないように構成されている。
【０００９】
このような構成のネジ孔ｎ２は、まず、棚受支柱Ｓ１の本体Ｓ１ａに、皿ネジＮの軸部Ｎｂが貫通される孔部ｎ２ｂを穿設しておき（棚受支柱Ｓ１のネジ孔ｎ１をそのまま孔部ｎ２ｂとしてもよい）、さらに棚受支柱Ｓ２の表面Ｓ２ｄから皿押し加工にて擂鉢状の凹部ｎ２ａを形成する。ところが、棚受支柱Ｓ２の本体Ｓ２ａは金属製であるので、擂鉢状の凹部ｎ２ａが形成されると同時に、裏面Ｓ２ｅには凸部ｎ２ｃも形成されてしまう。
【００１０】
凸部ｎ２ｃは、その表面傾斜は凹部ｎ２ａよりなだらかになるが、辺縁部ｎ２ｅの直径は、凹部ｎ２ａの辺縁部ｎ２ｄの直径よりやや大に形成される。したがって、図８に見るように、ダボ孔Ｄｈに挿嵌されているダボピンＤＰは、ダボ孔Ｄｈに最下端まで挿嵌されることができない。
【００１１】
この事情をさらに詳細に説明する。図８における仮想線（２点鎖線）で表現したダボピンＤＰは、ダボ孔Ｄｈに最下端まで挿嵌された状態を示す。図５に示す棚受支柱Ｓ１にては、ダボピンＤＰは、この位置にて挿嵌される。すなわち、図８における仮想線のように、ダボピンＤＰの頸部ＤＰｂの下端がダボ孔Ｄｈの下端Ｄｈａに当接する位置に挿嵌されている。
【００１２】
しかしながら、棚受支柱Ｓ２にては事情が異なり、棚受支柱Ｓ２の裏面Ｓ２ｅに突出するネジ孔ｎ２の凸部ｎ２ｃの辺縁部ｎ２ｅにダボピンＤＰの頭部ＤＰａの下端が衝突するので、ダボピンＤＰは、ダボ孔Ｄｈに最下端まで挿嵌された状態となることができない。ダボピンＤＰの頭部ＤＰａの下端が辺縁部ｎ２ｅに接触したところで、ダボピンＤＰはそれ以上下がることができなくなり、ダボ孔Ｄｈの下端ＤｈａとダボピンＤＰの頸部ＤＰｂの下端との間には空隙ｃが残ってしまう。
【００１３】
ダボ孔Ｄｈの下端ＤｈａとダボピンＤＰの頸部ＤＰｂの下端との間に空隙ｃが残ると、ダボピンＤＰはダボ孔Ｄｈに最下端まで挿嵌された安定状態（仮想線で表示）を取ることができなくなってしまい、結果として、棚板のガタつきなどの不都合が生じる。したがって、このような事態を回避するために、ダボピンＤＰの頭部ＤＰａの下端とネジ孔ｎ２の辺縁部ｎ２ｅの接触が生じないような構成が考えられた。
【００１４】
図９〜図１１に、そのような構成の棚板支柱Ｓ３を示す。棚板支柱Ｓ３は、長尺薄板状の金属性の本体Ｓ３ａにダボピンＤＰが挿入固定される複数のダボ孔Ｄｈ、Ｄｈ、……がピッチｐ３で等間隔に穿設され、要所要所に棚受支柱Ｓ３自体を本棚、食器棚、クローゼット等の内壁あるいは壁面等の被着体Ｗに固着させるためのネジ孔ｎ３、ｎ３、……が穿設されており、背面には、ダボピンＤＰの頭部を格納する空間を設けるための脚部Ｓ３ｂ，Ｓ３ｃが本体Ｓ３ａと一体に、背面方向に突出されている。なお、図９にては、比較のために棚板支柱Ｓ２を並列して示している。
【００１５】
棚受支柱Ｓ３は、棚受支柱Ｓ２と略同一の構成であり、ネジ孔ｎ３もネジ孔ｎ２と同一の構成である。しかし、ダボ孔Ｄｈ、Ｄｈ、……のピッチｐ３は棚受支柱Ｓ２のダボ孔Ｄｈ、Ｄｈ、……のピッチｐ２と異なっており、ピッチｐ３＞ピッチｐ２として構成されている。
【００１６】
図１１に明らかなように、ピッチｐ２がやや拡大されてピッチｐ３となっているので、ダボ孔Ｄｈとネジ孔ｎ３の間の距離もやや開かれ、ダボピンＤＰの頭部ＤＰａの下端が辺縁部ｎ３ｅに接触した状態でありながら、ダボ孔Ｄｈの下端ＤｈａとダボピンＤＰの頸部ＤＰｂの下端との間の空隙は消失され、ダボピンＤＰはダボ孔Ｄｈの最下端まで挿嵌された安定状態となっている。
【００１７】
このように、ダボ孔Ｄｈ、Ｄｈ、……のピッチｐ３をピッチｐ２より開くことにより、ダボ孔Ｄｈの下端ＤｈａとダボピンＤＰの頸部ＤＰｂの下端とは当接状態となり、問題は解消されたかに見えた。しかし、そこにはまた別の問題が生じてきた。
【００１８】
一般的に、棚受支柱のダボ孔のピッチは、棚に格納される対象物から決定されてくるが、棚に格納される対象物が書物である場合には、その書物の規格によって、さまざまな調整が可能なダボ孔のピッチというものが、斯界の長年の開発実績から凡そ定まっており、そのピッチが、例えば棚受支柱Ｓ１のダボ孔のピッチｐ１である。棚受支柱Ｓ２のダボ孔Ｄｈ、Ｄｈ、……のピッチｐ２も、棚受支柱Ｓ１のダボ孔Ｄｈ、Ｄｈ、……のピッチｐ１と同一であったので、この点では全く問題は生じなかった。
【００１９】
しかるに、棚受支柱Ｓ３において、ダボ孔Ｄｈ、Ｄｈ、……のピッチｐ３をピッチｐ１、ｐ２よりやや開いた結果、棚板の位置が微妙にずれてきて、特に書物を格納する場合など、使い勝手が悪くなった。また、生産面においても、棚受支柱Ｓ２を作る場合には、既製品の棚受支柱Ｓ１のネジ孔ｎ１に皿ネジＮの頭部Ｎａを格納する凹部ｎ２ａを皿押し加工で形成するだけでよかったが、棚受支柱Ｓ３を作ろうとする場合には、ダボ孔Ｄｈ、Ｄｈ、……のピッチｐ３が規格外なので、規制品の棚受支柱Ｓ１を利用するわけにいかず、本体やダボ孔の形成工程から独自に制作をしなければならない。このため、手間と時間を要し、かつ製品価格も割高にならざるを得なかった。
【００２０】
以上に詳述したように、棚受支柱Ｓ１にては皿ネジが使用できないという不都合があり、棚受支柱Ｓ２にてはダボピンの固定状態が不安定となるという不都合があり、棚受支柱Ｓ３にては、ダボ孔のピッチが若干広くなった結果、特に書籍や書類の格納の際に使い勝手に違和感を生じ、また加工に手間と時間がかかり、製品が割高になる等の不都合も生じていた。
【先行技術文献】
【特許文献】
【００２１】
【特許文献１】実用新案登録第３１１８４９９号公報
【考案の概要】
【考案が解決しようとする課題】
【００２２】
上記より、本考案が解決しようとする課題は、次のとおりとなる。
まず１点目の課題として、棚受支柱の固着に際し、別部材を用いることなく皿ネジで螺着できる構成とすること。次に２点目の課題として、ダボピンがダボ孔の最下端まで完全に挿嵌され、ガタツキのない安定した構成とすることができること。最後に３点目として、ダボ孔のピッチを、従来広く使われている棚受支柱のダボ孔のピッチと同一とすることである。
【課題を解決するための手段】
【００２３】
本考案は、上記課題を解決するためになされたものであり、以下に示す解決手段を提供する。
ダボピンが挿入固定される等間隔に穿設された複数のダボ孔と、棚受支柱自体を本棚、食器棚、クローゼット等の内壁あるいは壁面等の被着体に固着させるための複数のネジ孔を有する長尺薄板状の金属性の棚受支柱において、棚受支柱の表面のネジ孔の周囲に皿ネジの頭部が棚受支柱の表面から突出しないように皿ネジの頭部を完全に格納できる擂鉢状の凹部が設けられており、且つネジ孔の裏面に打出し突出される円錐台形状の突出部の辺縁部の上部が直上のダボ孔にダボピンを挿入固定した際に棚受支柱の裏面に突出するダボピンの頭部に衝突しないように、上記ネジ孔の裏面に突出される円錐台形状の突出部の辺縁部の上部に空隙形成用段部を設けたことを特徴とする棚受支柱。
【考案の効果】
【００２４】
本考案の棚受支柱は、棚受支柱の表面のネジ孔の周囲に皿ネジの頭部が棚受支柱の表面から突出しないように皿ネジの頭部を完全に格納できる擂鉢状の凹部が設けられているので、棚受支柱の表面に皿ネジの頭部が突出することがなく、上下方向のいかなる位置においても棚板の側面部分を棚受支柱の表面に隙間なく当接させることができ、安定した棚構造を得ることができるものである。また、別部材を介して皿ネジの使用を可能としているわけではないので、構成がシンプルで取付も楽であり、取付者の技量にかかわらず確実に取付することができる。
【００２５】
本考案の棚受支柱は、上記構成に加え、ネジ孔の裏面に打出し突出される円錐台形状の突出部の辺縁部の上部が直上のダボ孔にダボピンを挿入固定した際に棚受支柱の裏面に突出するダボピンの頭部に衝突しないように、上記ネジ孔の裏面に突出される円錐台形状の突出部の辺縁部の上部に空隙形成用段部を設けているので、ダボ孔のピッチを変えることなくしかもダボピンの頸部下端部をダボ孔の最下端部に当接させることができる。すなわち、ダボピンをダボ孔の最下端部まで完全に挿嵌固定できるので、ダボピンの頸部下端とダボ孔の下端との間に空隙が生じることなく、安定した棚構造を得ることができるものである。
【図面の簡単な説明】
【００２６】
【図１】本考案の棚受支柱のネジ孔近傍の要部の縦断面図である。
【図２】本考案の棚受支柱のネジ孔近傍の要部を背面側から見た外観斜視図である。
【図３】（ａ）本考案の棚受支柱の一部を省略した正面図である。（ｂ）本考案の棚受支柱の一部を省略した背面図である。
【図４】（ａ）図３ａの要部の拡大図である。（ｂ）図３ｂの要部の拡大図である。
【図５】（ａ）従来の棚受支柱の一例の一部を省略した正面図である。（ｂ）従来の棚受支柱の一例の一部を省略した背面図である。
【図６】（ａ）従来の棚受支柱の他の一例の一部を省略した正面図である。（ｂ）従来の棚受支柱の他の一例の一部を省略した背面図である。
【図７】（ａ）図６ａの要部の拡大図である。（ｂ）図６ｂの要部の拡大図である。
【図８】図６、図７に示す棚受支柱のネジ孔近傍の要部の縦断面図である。
【図９】（ａ）従来の棚受支柱のさらに他の一例の一部を省略した正面図を図６ａに示す従来の棚受支柱の他の一例の一部を省略した正面図と比較して説明するための説明図である。    （ｂ）従来の棚受支柱のさらに他の一例の一部を省略した背面図を図６ａに示す従来の棚受支柱の他の一例の一部を省略した背面図と比較して説明するための説明図である。
【図１０】（ａ）図９ａの従来の棚受支柱のさらに他の一例の一部を省略した正面図の要部の拡大図である。    （ｂ）図９ｂの従来の棚受支柱のさらに他の一例の一部を省略した背面図の要部の拡大図である。
【図１１】図９、図１０に示す従来の棚受支柱のさらに他の一例の棚受支柱のネジ孔近傍の要部の縦断面図である。
【考案を実施するための形態】
【００２７】
本考案を実施するための形態を、図面を参照しながら詳細に説明する。
【実施例１】
【００２８】
＜実施例１の構成＞
本考案の実施例１の棚受支柱１は、長尺薄板状の金属性の本体１１にダボピンＤＰが挿嵌固定される複数のダボ孔２、２、……がピッチＰで等間隔に穿設され、要所要所に棚受支柱１自体を本棚、食器棚、クローゼット等の内壁あるいは壁面等の被着体Ｗに固着させるためのネジ孔３、３、……が穿設されており、背面には、ダボピンＤＰの頭部ＤＰａを格納する空間を設けるための脚部１２，１３が本体１１と一体に、背面方向に突出されている。
【００２９】
ダボ孔２、２、……のピッチＰは、図５に示す従来の棚受支柱Ｓ１のピッチｐ１、図６に示す従来の棚受支柱Ｓ２のピッチｐ２と同一に構成されている。ネジ孔３は、図１に見るように、皿ネジＮの軸部Ｎｂが挿嵌される孔部３２と、棚受支柱１の表面１４に形成された擂鉢状の凹部３１から構成され、凹部３１は、皿ネジＮの頭部Ｎａが棚受支柱１の表面（正面）１４に突出しないように格納される形状及びサイズに構成されている。
【００３０】
ネジ孔３の棚受支柱１の裏面（背面）１５側には凸部３３が突出されているが、この凸部３３は、表面１４側の凹部３１を皿押し加工にて形成する際に、同時に形成されるものである。凸部３３の上端部には空隙形成用段部３４が、凸部３３の下端部には空隙形成用段部３５が、夫々形成されている。これらの空隙形成用段部３４、３５は、外見上は凸部３３が切欠されたように見えるが（図２参照）、工程上は切欠されたものではなく、凹部３１を皿押し加工にて形成する際に、裏面側に下型（図示せず）を当てて段部として形成されるものである。なお、図４ｂに仮想線で示す円形は、空隙形成用段部３４、３５を設けなかった場合に生じる凸部３３の仮想辺縁部３６であって、空隙形成用段部３４、３５は、外観上あたかも仮想辺縁部３６の上下を切欠したように見える。
【００３１】
なお、下型（図示せず）を当てて形成されるというプロセス上、凸部３３の肉が下方に逃げると困るので、下方にも下型（図示せず）を当て、結果として空隙形成用段部３５が形成されるが、機能上は空隙形成用段部３５は作用せず、作用を有するのは空隙形成用段部３４だけである。また、凸部３３の左右両側方にも肉は逃げるので、空隙形成用段部３４、３５以外の部分には仮想辺縁部３６の形状の円弧状の下型を用いる。図２に見る小段部３７は、この円弧状の下型により形成されたものである。
【００３２】
空隙形成用段部３４は、ネジ孔３の孔部３２の上端３２ａから空隙形成用段部３４の水平面３４ａまでの距離をｘとし、孔部３２の上端３２ａからダボ孔２の下端２ａまでの距離をｙとすると、距離ｘが距離ｙの４５％〜３０％の範囲内になるように形成する。このようにする理由は、距離ｘが距離ｙの４５％を越えると、ダボピンＤＰの頭部ＤＰａの下端が水平面３４ａに衝突する可能性が高くなるからであり、また、距離ｘが距離ｙの３０％を下回ると、水平面３４ａの正面側において凹部３１の傾斜された側面が近接してこの部分の肉が薄くなりすぎるからである。なお、空隙形成用段部３５も空隙形成用段部３４と略同様の構成とすればよい。
【００３３】
＜実施例１の作用＞
実施例１の棚受支柱１にては、図１に見るように、ネジ孔３の直上のダボ孔２にダボピンＤＰを挿嵌した場合、ダボ孔２の下端２ａにダボピンＤＰの頸部ＤＰｂの下端が隙間なく当接すると同時に、ネジ孔３の裏面の凸部３３の上部に設けられた空隙形成用段部３４の作用によって、ダボピンＤＰの頭部ＤＰａの下端と凸部３３の上部（すなわち水平面３４ａ）の間に空隙Ｃが形成され、ダボピンＤＰの頭部ＤＰａの下端と凸部３３の衝突が回避されている。このため、前記従来技術の棚受支柱３のダボ孔３、３、……のピッチｐ３のように、ピッチを従来のものより開く必要が生じない。したがって、使い勝手は従来品同様でありながら、皿ネジを用いることができ、かつダボピンＤＰがダボ孔２の最下端まで完全に挿嵌固定されるので、安定した棚構成が得られるものである。
【産業上の利用可能性】
【００３４】
本考案の棚受支柱は、棚構成の安定性を増大させつつ従来品同様の使い勝手を実現するものであり、またさらに、鍋ネジを使用する従来品に下型を用いた皿押し加工を施すだけでも本発明の構成を実現できるという特質を有するので、産業上の利用可能性は非常に大きなものがある。
【符号の説明】
【００３５】
１        棚受支柱
１１      本体
１２      脚部
１３      脚部
１４      表面
１５      裏面
２        ダボ孔
２ａ      下端
３        ネジ孔
３１      凹部
３２      孔部
３３      凸部
３４      空隙形成用段部
３４ａ    水平面
３５      空隙形成用段部
３６      仮想辺縁部
３７      小段部
Ｃ        空隙
ＤＰ      ダボピン
ＤＰａ    頭部
ＤＰｂ    頸部
Ｄｈ      ダボ孔
Ｄｈａ    下端
Ｎ        皿ネジ
Ｎａ      頭部
Ｎｂ      軸部
Ｓ１      棚受支柱
Ｓ１ａ    本体
Ｓ１ｂ    脚部
Ｓ１ｃ    脚部
Ｓ２      棚受支柱
Ｓ２ａ    本体
Ｓ２ｂ    脚部
Ｓ２ｃ    脚部
Ｓ２ｄ    表面
Ｓ２ｅ    裏面
Ｓ３      棚受支柱
Ｓ３ａ    本体
Ｓ３ｂ    脚部
Ｓ３ｃ    脚部
Ｐ        ピッチ
Ｗ        被着体
ｃ        空隙
ｎ１      ネジ孔
ｎ２      ネジ孔
ｎ２ａ    凹部
ｎ２ｂ    孔部
ｎ２ｃ    凸部
ｎ２ｄ    辺縁部
ｎ２ｅ    辺縁部
ｎ３      ネジ孔
ｎ３ａ    凹部
ｎ３ｂ    孔部
ｎ３ｃ    凸部
ｎ３ｄ    辺縁部
ｎ３ｅ    辺縁部
ｐ１      ピッチ
ｐ２      ピッチ
ｐ３      ピッチ
ｘ        距離
ｙ        距離
【図１】
0003154344.tif 000003
【図２】
0003154344.tif 000004
【図３】
0003154344.tif 000005
【図４】
0003154344.tif 000006
【図５】
0003154344.tif 000007
【図６】
0003154344.tif 000008
【図７】
0003154344.tif 000009
【図８】
0003154344.tif 000010
【図９】
0003154344.tif 000011
【図１０】
0003154344.tif 000012
【図１１】
0003154344.tif 000013